(57)【特許請求の範囲】
【請求項１】
ヘアスタイリング装置において、
該ヘアスタイリング装置が、
第１部材と第２部材であって、該第１部材と第２部材とは、該第１部材と第２部材との間に毛髪を受容するための開位置と、近接位置との間で相対運動するように構成されており、前記第１部材及び前記第２部材は、ハンドルと処置ヘッドとを含み、前記処置ヘッドがそれぞれ、毛髪にストレート効果を与えるための内側プレートセグメントと、毛髪にカール効果を与えるように形成された外側シェルセグメントとを含み、前記外側シェルセグメントは熱伝導性金属材料から形成されている、第１部材と第２部材と、
前記第１部材及び前記第２部材の前記内側プレートセグメントと連携する加熱集成体であって、前記加熱集成体により生成された熱エネルギーが前記処置ヘッドの前記内側プレートセグメントから前記外側シェルセグメントへ伝達されるように、前記外側シェルセグメントに取り付けられているハウジング部材内に配置されている加熱集成体とを備え、
前記外側シェルセグメントの前記熱伝導性金属材料及び前記内側プレートセグメントはステンレス鋼からなり、それにより、熱エネルギーに晒されたときの前記外側シェルセグメントの膨張の度合い又は率は、前記内側プレートセグメントの膨張の度合い又は率にほぼ対応し、それにより、前記内側プレートセグメントに関する前記外側シェルセグメントの位置決めを維持し、
前記第１部材及び前記第２部材の前記ハンドルがそれぞれハンドルカバーを含み、前記ハンドルカバーが熱伝導性材料から形成されている、ヘアスタイリング装置。
【請求項２】
前記第１部材及び前記第２部材の前記ハンドルと前記処置ヘッドとの間に配置されたハンドルインシュレータを含み、前記ハンドルインシュレータは、前記処置ヘッドから前記ハンドルへの熱エネルギーの転移を低減するためにインシュレータ材料を含む、請求項１に記載のヘアスタイリング装置。
【請求項３】
それぞれの前記処置ヘッドの外端部に隣接して配置された先端インシュレータを含み、前記先端インシュレータが、使用者によって前記外端部を掴むのを可能にするようにインシュレータ材料を含む、請求項２に記載のヘアスタイリング装置。
【請求項４】
前記第１部材に取り付けられた手動操作式のロックスイッチを含み、前記ロックスイッチが、前記第１部材及び前記第２部材の開位置への運動を可能にするロック解除位置と、前記第１部材及び前記第２部材を近接状態に固定するロック位置との間で運動可能である、請求項１に記載のヘアスタイリング装置。
【請求項５】
前記第１部材及び前記第２部材が前記開位置と前記近接位置との間で回動運動ができるように前記第１部材及び前記第２部材に結合されたヒンジ集成体を有し、それにより、前記ヒンジ集成体は複数のヒンジ支承体を有し、前記ヒンジ支承体はセラミック材料を備える、請求項１に記載のヘアスタイリング装置。
【発明の詳細な説明】
【技術分野】
【０００１】
本発明は毛髪を処置するための装置に関し、具体的には対象者の毛髪にストレート効果及びカール効果の両方を与えるように構成された装置に関する。この装置はさらに、二重セラミック加熱集成体と金属構造とを備えた装置であって、熱エネルギーを処置ヘッドの全ての領域に分配し、これにより毛髪に対するストレートニング能力及びカーリング能力が高められる装置に関する。
【背景技術】
【０００２】
加熱された毛髪は、加熱されない毛髪よりも、平滑化、処置、及びスタイリングを容易に施すことができる。それぞれ種々様々な形体を有するヘアストレート装置及びカールアイロン装置を含む、数多くのヘアスタイリング器具及び電化製品が存在する。ヘアストレート装置は典型的には２つの回動ハンドルを含み、これらの回動ハンドルは、一方の端部でヒンジ結合されており、開位置と閉位置との間でヒンジを中心として回動する。それぞれのハンドルから加熱ヘッドが延びており、加熱ヘッドは、毛髪のストレートニング又はスタイリングのための加熱可能な材料、通常は金属から成る内面を有している。各加熱可能な表面の下に配置された電気的なヒータ素子を作動させることにより、これらの表面を所望の温度に加熱する。内面をスタイリングされるべき毛髪の周りに位置決めし、ヒンジ結合されたハンドルを閉位置に動かして、加熱された内面を毛髪に接触させる。手で掴んだハンドルを次いで、毛髪がヘッドから出るまで髪の毛に沿ってスライドさせる。ヘアストレート装置の一例が、ある特許文献に開示されている（例えば、特許文献１参照。）。この特許文献の内容全体は参照することにより援用される。
【０００３】
カールアイロンは、カールアイロンの胴又はマンドレルを充分に加熱し、そして毛髪を胴と物理的に接触させた状態で拘束することにより、カール、ウェーブ、又はツイストのパターンを、スタイリングされるべき毛髪に施すように意図されている。カールアイロンの加熱された胴の周りに毛髪の１区分を巻き付け、所定の時間にわたって、加熱された胴と接触させておくのが典型的である。加熱された胴からの熱が毛髪中の塑性結合を改質する。熱でスタイリングされた毛髪を加熱された胴から取り外すと、毛髪はカールアイロンの胴の形状を概ね保つ。
【０００４】
従来のヘアストレート装置及びカールアイロン装置のある欠点は、対象者の頭に複数のスタイリング機能を発揮する際にその有用性を損なうことである。例えば、これらの装置はヘアストレートニングとヘアカーリングとの二重機能を発揮するには不向きである。この理由には、外側加熱ヘッド又はマンドレルへの熱分配が不十分であることが含まれる。このような欠点は、これらの装置の加熱集成体の構造、材料、及び／又は配置、及び形態の結果と言える。
【先行技術文献】
【特許文献】
【０００５】
【特許文献１】米国特許第７，１７８，５３２号
【発明の概要】
【０００６】
従って、本発明は、毛髪にストレート効果及び／又はカール効果の両方を与えるように構成されたヘアトリートメント又はヘアスタイリング装置に関する。この装置は、新規の熱伝導性構造及び加熱集成体を含む。熱伝導性構造及び加熱集成体は、熱エネルギーを処置ヘッドの全ての領域に均一に伝達するので、使用者の技能にかかわりなく所望のスタイルが達成される。装置はさらに、１つ又は２つ以上のセラミック支承体ユニットを組み入れたヒンジ集成体を含む。セラミック支承体ユニットは、処置部材の回動運動のための円滑な一貫した抵抗と、より長持ちするヒンジジョイントを提供し、これにより装置の寿命を延ばし、使い勝手を良くする。スタイリング装置のフレーム構成部分は金属、例えばステンレス鋼構造から形成されている。ステンレス鋼構造は、プラスチック構成部分及びプラスチック部品を利用した従来のモデルと比較して、種々の熱エネルギーレベルに晒されたときに、歪み、収縮、膨張などに対して優れた耐性をもたらす。
【０００７】
一実施態様によれば、ヘアスタイリング装置は、第１部材と第２部材とを含み、第１部材と第２部材とは、第１部材と第２部材との間に毛髪を受容するための開位置と、近接位置との間で相対運動するように構成されている。第１部材及び第２部材はそれぞれハンドル及び処置ヘッドとを含む。処置ヘッドはそれぞれ、毛髪にストレート効果を与えるための内側プレートセグメントと、毛髪にカール効果を与えるように形成された外側シェルセグメントとを含む。外側シェルセグメントは熱伝導性金属材料から形成されている。第１及び第２部材の内側プレートセグメントには、加熱集成体が連携し、これにより熱エネルギーが処置ヘッドの内側プレートセグメントから外側シェルセグメントへ伝達される。
【０００８】
実施態様では、外側シェルセグメントの熱伝導性金属材料はステンレス鋼を含む。第１及び第２部材のハンドルはそれぞれハンドルカバーを含んでよい。ハンドルカバーは熱伝導性材料から形成されている。第１及び第２部材のハンドルと処置ヘッドとの間にはハンドルインシュレータが配置されてよい。ハンドルインシュレータは、処置ヘッドからハンドルへの熱エネルギーの転移を低減するためにインシュレータ材料を含む。ある実施態様では、それぞれの処置ヘッドの外端部に隣接して先端インシュレータが配置されてよい。先端インシュレータは、使用者によって外端部を掴むのを可能にするようにインシュレータ材料を含んでよい。ハンドルインシュレータ及び先端インシュレータのインシュレータ材料はシリコンを含んでよい。
【０００９】
いくつかの実施態様では、第１部材には、手動操作式のロックスイッチ取り付けられている。手動操作式のロックスイッチは、第１及び第２部材の開位置への運動を可能にするロック解除位置と、第１及び第２部材を近接状態に固定するロック位置との間で運動可能であってよい。第１及び第２部材のうちの一方はロックフードを含んでよく、そして第１及び第２部材のうちの他方はロックピンを含んでよい。ロックフードは、ロックスイッチがロック位置にあるときにはロックピンに固定的に係合するように寸法設定されており、そしてロックスイッチがロック解除位置にあるときにはロックピンを解放する。ある実施態様では、ロックフードは、凹部を形成するロック面を有しており、これによりロックピンは、凹部内に受容されており、そしてロックスイッチがロック位置にあるときには、ロック面に係合するように形成されている。
【００１０】
いくつかの実施態様では、第１及び第２部材のそれぞれの加熱集成体が、第１セラミック加熱プレートと、加熱素子が取り付けられた少なくとも１つセラミック基板とを含む。第１及び第２部材のそれぞれの加熱集成体はさらに、第１セラミック基板と重なり合う関係を成す、加熱素子が取り付けられた第２セラミック基板を含んでよい。第１及び第２セラミック基板のそれぞれの加熱素子は抵抗線を含んでよい。抵抗線は第１及び第２セラミック基板のそれぞれに印刷されていてよい。いくつかの態様では、抵抗線は、第１及び第２部材の長手方向軸線に沿って延びる複数の長手方向線セグメントを含み、長手方向線セグメントは、横方向に間隔を置いた関係を成して配列されている。
【００１１】
実施態様では、開位置と近接位置との間の第１及び第２部材の回動運動を可能にするために、第１及び第２部材には、ヒンジ集成体が結合されている。ヒンジ集成体は少なくとも１つのヒンジ支承体を含み、少なくとも１つのヒンジ支承体がセラミック材料を含む。いくつかの実施態様において、ヒンジ集成体は、第１部材及び第２部材に取り付けられた第１及び第２ヒンジ支承体集合を含む。第１及び第２集合のそれぞれの個々のヒンジ支承体はセラミック材料を含み、そしてそれぞれの第１部材及び第２部材に接触関係を成して取り付けられている。
【００１２】
別の実施態様では、ヘアスタイリング装置が、毛髪をスタイリングするように形成された第１及び第２部材と、第１部材と第２部材との間に毛髪を受容するための開位置と、近接位置との間で回動運動を可能にするように第１及び第２部材に結合されたヒンジ集成体とを含む。ヒンジ集成体はセラミック材料から形成された少なくとも１つのヒンジ支承体と、第１及び第２部材のうちの少なくとも一方と連携する加熱素子とを含む。
【００１３】
実施態様では、ヒンジ集成体が、第１部材に取り付けられた第１ヒンジ支承体と、第２部材に取り付けられた第２ヒンジ支承体とを含み、第１及び第２ヒンジ支承体がセラミック材料を含み、そして接触関係を成している。ヒンジ集成体は、第１部材に取り付けられた第３ヒンジ支承体と、第２部材に取り付けられた第４ヒンジ支承体とを含む。第３及び第４ヒンジ支承体はセラミック材料を含み、接触関係を成しており、そして第１及び第２ヒンジ支承体から間隔を置いている。
【００１４】
本発明の他の利点は以下の説明から明らかになる。
【００１５】
図面を参照しながら、本発明の種々の実施態様を以下に説明する。
【図面の簡単な説明】
【００１６】
【図１】図１は、本発明の原理に基づくヘアスタイリング装置であって、第１及び第２処置部材を開放状態で示す斜視図である。
【図２】図２は、ヘアスタイリング装置の分解図である。
【図３】図３は、ヘアスタイリング装置のセラミックヒンジ集成体の構成部分を、部品が分離された状態で示す斜視図である。
【図４】図４は、セラミックヒンジ集成体の構成部分を、ヘアスタイリング装置のハンドル内部に取り付けられた状態で示す軸線方向断面図である。
【図５】図５は、ヘアスタイリング装置の別のセラミックヒンジ集成体の構成部分を、部品を分離した状態で示す斜視図である。
【図６】図６は、図５のセラミックヒンジ集成体の構成部分を、ヘアスタイリング装置のハンドル内部に取り付けられた状態で示す軸線方向断面図である。
【図７】図７は、ロック機構がロック解除状態にあるヘアスタイリング装置を示す側面図である。
【図８】図８は、ロック機構のロックスイッチとロックピンとロックフードとの関係を、ロック解除状態で示す、図７に示された詳細な領域の拡大図である。
【図９】図９は、ヘアスタイリング装置をカール機能において使用するのを容易にするロック状態にあるロック機構を示す、図７と同様の図である。
【図１０】図１０は、ロック機構のロックスイッチとロックピンとロックフードとの関係を、ロック状態で示す、図９に示された詳細な領域の拡大図である。
【図１１】図１１は、二重セラミック加熱集成体を、第１及び第２処置部材のそれぞれの内部に取り付けられた状態で示す斜視図である。
【図１２】図１２は、図１１の二重セラミック加熱集成体を示す分解斜視図である。
【図１３】図１３は、ヘアスタイリング装置の別の実施態様を示す斜視図である。
【図１４】図１４は、ヘアスタイリング装置のさらに別の実施態様を示す斜視図である。
【発明を実施するための形態】
【００１７】
ここで図面、具体的には図１を詳細に参照すると、本発明の原理に基づくヘアスタイリング装置１００が示されている。ヘアスタイリング装置１００は、対象者の毛髪にストレート効果を与えるための第１のヘアストレートモードと、対象者の毛髪に成形効果、ツイスト効果、又はカール効果を与える第２のヘアカールモードとを含む２つのモード間で操作することができる。
【００１８】
ヘアスタイリング装置１００は、ヒンジ集成体１０６を介して互いに結合された第１部材１０２及び第２部材１０４とを含む。第１及び第２部材１０２，１０４の、ヒンジ集成体１０６に隣接して使用者によって関与されるセグメント又は区分は、装置のハンドルセグメント又は「ハンドル」を形成する一方、ヒンジ集成体１０６から離れた、毛髪をスタイリングするセグメント又は区分は装置１００の「処置ヘッド」を形成する。
【００１９】
ヒンジ集成体１０６は典型的には、第１及び第２部材１０２，１０４を通常は図１に示された開位置に付勢するためにばね（図示せず）を組み入れる。第１及び第２部材１０２，１０４は、開位置と近接位置との間で、ヒンジ集成体１０６の周りで回動するように構成されている。上記のように、ヒンジ集成体１０６は１つ又は２つ以上のセラミック支承体を含む。セラミック支承体は、第１及び第２部材１０２，１０４の回動動作を向上させ、そしてヒンジジョイントの安定性を高めることによって、装置１００の寿命を長くし、使い勝手を良くする。ヒンジ集成体１０６のさらなる詳細については下述する。
【００２０】
図１とともに図２を参照すると、第１及び第２部材１０２，１０４は、装置１００の長手方向軸線「ｋ」（図１）に沿って延びるそれぞれの第１及び第２ハウジング部材１０８，１１０を含む。第１及び第２ハウジング部材１０８，１１０のそれぞれには、ヒンジ集成体１０６に隣接して外側ハンドルカバー１１２が取り付けられている。外側ハンドルカバー１１２は使用者によって関与されるように寸法設定されている。外側ハンドルカバー１１２は全体的に、又は部分的にステンレス鋼から形成されていてよい。第１及び第２ハウジング部材１０８，１１０はさらに、それぞれの第１及び第２内側ハンドルフレーム１１４，１１６を含む。第１ハンドルフレーム１１４は、電気的構成部分１１８、例えばレオスタット又は電気コネクタを組み入れており、そして第２ハンドルフレーム１１６は制御ボード又は回路ボード１２０を有している。制御ボード又は回路ボード１２０は、装置１００の動作を制御するためのコントローラ／プロセッサを含んでよい。第２ハウジング部材１１０は、温度制御、処置時間などを含む装置１００の動作を制御するための制御ボード１２０と電気的な接続された複数の制御ボタン１２２を含んでよく、そしてまた少なくとも１つ又は２つ以上のインジケータ光、例えば電源が作動させられると視覚的なインディシア（indicia）を提供するＬＥＤ１２４を含む。適宜の電気出力部に接続するために第２ハウジング部材１１０から電源コード１２６が延びている。あるいは、装置１００は充電可能なバッテリを含んでもよい。
【００２１】
図１〜２をなおも参照すると、第１及び第２ハウジング部材１０８，１１０のそれぞれには、装置１００の処置ヘッドセグメント内の従来の手段を介して外側シェル１２８が取り付けられている。それぞれの外側シェル１２８は僅かにアーチ形のプロフィールを含んでよい。外側シェル１２８は全体的又は部分的に熱伝導性材料、例えばステンレス鋼から形成されてよい。同様に、第１及び第２ハウジング部材１０８，１１０も全体的又は部分的にステンレス鋼から形成されてよい。第１及び第２ハウジング部材１０８，１１０のそれぞれはさらに、ハウジング部材１０８，１１０の内面内に取り付けられた加熱集成体１３０を含む。加熱集成体１３０はそれぞれ複数のセラミック加熱素子／基板を含む。加熱集成体１３０のさらなる詳細、並びに第１及び第２ハウジング部材１０８，１１０、及び外側シェル１２８のステンレス鋼構造の重要性については下でさらに詳述する。
【００２２】
図２とともに図３〜４をここで参照しながら、ヒンジ集成体１０６について論じる。ヒンジ集成体１０６はヒンジピン又はヒンジ軸１３２を含む。ヒンジピン又はヒンジ軸１３２は、それぞれ第１及び第２部材１０２，１０４の第１及び第２内側ハンドルフレーム１１４，１１６のヒンジ取り付け具１３８，１４０の開口１３４，１３６を通って延びている。ヒンジ取り付け具１３８は単一のポスト又はカラムを含んでいてよいのに対して、ヒンジ取り付け具１４０は、互いに間隔を置いたポスト対又はカラム対１４０ａ，１４０ｂ（図４）を含んでよい。ヒンジ取り付け具１３８の単一のポスト１３８は、図４に最も良く示されているように、ヒンジ集成体１０６の結合時にはヒンジ取り付け具１４０の、互いに間隔を置いたカラム１４０ａ，１４０ｂ内部に配置又は受容される。ヒンジ集成体１０６はさらに、ヒンジ取り付け具１３８，１４０の間に、すなわちヒンジ取り付け具１３８の各側に配置された２つの支承体集合１４２ａ，１４２ｂを含む。それぞれの集合の支承体１４２ａは、第１部材１０２のヒンジ取り付け具１３８に取り付けられるか又は係合させられ、そして支承体１４２ｂは、第２部材１０４の第２ヒンジ取り付け具１４０のそれぞれのカラム１４０ａ，１４０ｂに取り付けられるか又は係合させられる。支承体集合１４２ａ，１４２ｂは接触関係を成し、これらの支承体集合によって提供された面の周りに、又は面に沿って第１及び第２部材１０２，１０４が回動する。
【００２３】
支承体１４２ａ，１４２ｂはセラミック材料から形成されている。ヒンジ集成体１０６内部でセラミック材料を使用することは、第１及び第２部材１０２，１０４の相対回動運動のための極めて円滑な一貫した抵抗を可能にし、これにより、プラスチック又は金属のヒンジエレメントを利用した従来のユニットと比較して著しく強力且つ安定なヒンジジョイントを提供する。ヒンジ集成体１０６内部に組み入れられたセラミック材料又は支承体は、支承体１４２ａ，１４２ｂの最小限の摩耗及び裂け目しか伴わずに第１及び第２部材１０２，１０４の制限されない回動動作を可能にすることにより、ヘアスタイリング装置１００の全寿命を高める。ヒンジ集成体１０６はさらに、ファスナ及び／又はナット１４６，１４８が連携するヒンジカバー１４４を含むことにより、ヒンジ集成体１０６を包囲する。
【００２４】
図５及び６に示された実施態様の場合、ただ１つのセラミック支承体集合１４２ａ，１４２ｂをヒンジ集成体１０６内に組み入れることができる。セラミック材料の特徴により、第１及び第２部材１０２，１０４の回動運動を容易にするとともに装置１００の寿命を延ばすには、１つのセラミック支承体集合１４２ａ，１４２ｂで充分な支持と平滑な抵抗を提供し得ると考えられる。
【００２５】
図１，２及び７〜８を参照すると、ヘアスタイリング装置１００はさらに、装置１００をカールスタイリングモードで利用するときに第１及び第２部材１０２，１０４を近接状態で固定するためのロック機構を含む。ロック機構は、第１部材１０２のハンドルカバー１１２に設けられた開口１５２（図２）内に少なくとも部分的に受容されたロックスイッチ１５０を含む。ロックスイッチ１５０は、ファスナ１５６を介してほぼＵ字形のロックフード１５４に固定されている。ロックフード１５４は細長い開口１５８を形成している。ロック機構はさらに第２部材１０４の第２内側ハンドルフレーム１１６から外方へ向かって突出するロックピン１６０を含む。ロックピン１６０はロックフード１５４の細長い開口１５８内に受容されている。ロックスイッチ１５０（図７及び８）のロック解除位置では、ロックピン１６０は、ロックピン１６０が開口１５８を通過するのを許すようにロックフード１５４の開口１５８と整合し、これにより、第１及び第２部材１０２，１０４が図１に示された開位置へ動くのを可能にする。ロックスイッチ１５０及びロックフード１５４が図９〜１０に示されたロック位置へ長手方向に動くと、ロックピン１６０は開口１５８と誤整合するので、ロックピン１６０の拡大されたピンヘッド１６０ａは、開口１５８を形成するロックフード１５４の表面に、この表面と固定関係を成して係合する。この位置では、第１及び第２部材１０２，１０４は、回動運動を防止され、これにより第１及び第２部材１０２，１０４をカールアイロンモードに固定する。すなわちカールアイロンモードでは、第１及び第２部材１０２，１０４を利用して外側シェル１２８の周りで毛髪を湾曲させることができる。
【００２６】
ここで図２とともに図１１〜１２を参照しながら、装置１００の処置ヘッド内部の二重セラミック加熱集成体１３０について論じる。各加熱集成体１３０は、内側加熱プレート１６２と、加熱プレート１６２に対して重ね合わせ関係を成す第１及び第２セラミック基板１６４，１６６とを含む。加熱プレート１６２はほぼ平面状であるが、しかし加熱プレート１６２は、装置１００の意図された用途に応じてアーチ形プロフィールを含んでもよい。加熱プレート１６２はセラミック材料から成っている。第１及び第２セラミック基板１６４，１６６はそれぞれ、少なくとも１つのワイヤ抵抗器１６８を含んでいる。ワイヤ抵抗器１６８はセラミック基板１６４，１６６の各表面上に印刷されるか、各表面内に埋め込まれるか、又は各表面に取り付けられている。ワイヤ抵抗器１６８は、長手方向に延びて互いに間隔を置いた複数の抵抗器セグメント１６８ａを含み、これらの抵抗器セグメント１６８ａは、それぞれの第１及び第２セラミック基板１６４，１６６の長さの大部分に沿って延びることにより、第１及び第２セラミック基板１６４，１６６のほぼ表面積全体を包含する。第１セラミック基板１６４は、抵抗器１６８に電気的に接続された第１及び第２リード線１７０と接点１７２とを介して電源に電気的に接続されている。同様に、第２セラミック基板１６６は、第３及び第４リード線１７４と接点１７６とを介して電源に電気的に接続されている。第３及び第４リード線１７４は、第１セラミック基板１６４の開口１７８を通って延びることにより接点１７６に係合している。
【００２７】
ワイヤ抵抗器１６８が連携する第１及び第２セラミック基板１６４，１６６を設け、配置することにより、加熱される表面積、及び加熱プレート１６２（例えばセラミック加熱プレート１６２）に伝達される熱エネルギーが最大化される。さらに、セラミック基板１６４，１６６の相対的に薄いプロフィールは、より大きい体積の従来の鋼又はアルミニウムヒータにおいて内在的なエネルギー損失なしに、熱エネルギーを加熱プレート１６２へ転移させるのを容易にする。加えて下述するように、二重セラミック加熱集成体１３０は、第１及び第２部材１０２，１０４のステンレス鋼外側シェル１２８への熱伝達を向上させる。これによりカールモード中の装置１００の使用が容易になる。
【００２８】
毛髪にストレート効果を与えるためのスタイリング装置１００の使用についてここで論じる。使用中、装置１００を作動させ、図１の開位置にあるときに、第１及び第２部材１０２，１０４のそれぞれの加熱集成体１３０の加熱プレート１６２間に毛髪を位置決めする。第１及び第２部材１０２，１０４を図７の近接位置へ動かす。一実施態様において、第１及び第２部材１０２，１０４と連携する電気的接点（図示せず）が加熱集成体１３０に係合してこれを作動させることができる。加熱プレート１６２間で毛髪を引っ張るように装置１００を操作することにより、毛髪を真直ぐにする。装置１００をカールモードで利用したい場合には、ロックスイッチ１５０を図７〜８のロック解除位置から図９〜１０のロック位置へ動かし、そして第１及び第２部材１０２，１０４の外側シェル１２８の周りに毛髪を巻き付けるように、装置１００を操作する。上で詳述したように、各加熱集成体１３０の二重セラミック基板及びセラミック加熱プレートは、かなりの量の熱エネルギーを生成する。この熱エネルギーは、第１及び第２ハウジング部材１０８，１１０の高い伝導性（例えば熱伝導性）のステンレス鋼外側シェル１２８へ（熱損失を最小限にしか伴わずに）伝達される。なお、第１及び第２ハウジング部材１０８，１１０はステンレス鋼から製造されており、やはり熱エネルギーを外側シェル１２８へ伝導することができる。毛髪を可塑化して成形するのに適した温度にある外側シェル１２８を利用して、毛髪にカール効果又はウェーブ効果を与える。
【００２９】
図１３〜１４は、本発明の付加的な態様又は別の態様を示す。図１３のスタイリング装置１００は、近位側の冷却リッジ又はハンドルインシュレータ１８０を含む。近位側の冷却リッジ又はハンドルインシュレータ１８０は、スタイリング装置１００のハンドルの端部、例えば第１及び第２部材１０２，１０４のそれぞれのハンドルカバー１１２と外側シェル１２８との間に取り付けられてよく、あるいはハンドルカバー１１２又は外側シェル１２８のそれぞれの周囲に取り付けられてもよい。さらなる選択肢として、ハンドルインシュレータ１８０は、ハンドルカバー１１２又は外側シェル１２８の周囲内に形成された溝内部に受容されてもよい。ハンドルインシュレータ１８０は、断熱材、例えばシリコンから製造されていてよく、それぞれの第１及び第２部材１０２，１０４の周囲に対して延びる帯状形態を成していてよい。ハンドルインシュレータ１８０はそれぞれ、装置１００の処置ヘッドから、例えば外側シェル１２８からハンドルカバー１１２へ熱エネルギーが伝達されるのを実質的に防止することによって、使用者を保護する。図１４では、装置１００は第１及び第２部材１０２，１０４の、ヒンジ集成体１０６から離れた側の端部のそれぞれに隣接する第２インシュレータ１８２又は先端インシュレータ１８２を組み入れている。先端インシュレータ１８２は構造及び機能においてハンドルインシュレータ１８０と類似していてよく、第１及び第２部材１０２，１０４の端部を絶縁する、例えば端部への熱伝導性を分断させるのに役立つ。このようにすれば、使用者は装置１００の操作中、第１及び第２部材１０２，１０４の端部を掴む、又は摘まむ一方で、他方の手でハンドルを保持することにより操作しやすくすることができる。先端インシュレータ１８２は、第１及び第２部材１０２，１０４の最端部から間隔を置いて外側シェル１２８の周りに取り付けられてよく、且つ／又は外側シェル１２８の内面と外面との間に少なくとも部分的に延びてよく、例えば外側シェル１２８に設けられたそれぞれの溝内部に受容されてよい。
【００３０】
本発明のスタイリング装置１００は周知の装置を凌ぐ顕著な利点をもたらす。先ず、スタイリング装置１００はヘアストレート器具としての使用のため、又はヘアカーラーとしての使用のために容易に変換することができる。第１及び第２ハウジング部材１０８，１１１と、ハンドルカバー１１２と、第１及び第２内側ハンドルフレーム１１４，１１６と、アウタシェル１２８とを含むフレーム構成部分は全体的にステンレス鋼から形成されてよい。ステンレス鋼は、装置１００の寿命を著しく改善するとともに、部分的にプラスチックから成る従来のユニットと比較して、より堅牢な装置を提供する。二重セラミック加熱集成体１３０は、装置１００のヘアストレートモード中では内側加熱プレート１６２へ、そして装置１００のヘアカールモード中ではステンレス鋼外側シェル１２８へ、熱エネルギーを効果的、効率的、且つ均一に転移させるのを可能にする。セラミックヒンジ集成体は、第１及び第２部材１０２，１０４の円滑で邪魔のない回動運動を改善し、より長持ちするヒンジジョイントを提供し、装置の寿命を延ばし、使い勝手を良くする。
【００３１】
上記記述及び図面は、本発明の実施態様を説明する目的で提供されるのであって、開示範囲を制限しようとするものでは決してない。当業者には明らかなように、開示の思想又は範囲を逸脱することなしに種々の変更及び改変を加えることができる。従って、本発明は、添付の請求の範囲及びこれと同等のものの範囲内に含まれるのであれば、この開示の変更形及び改変形にも範囲が及ぶものとする。
【図１】
0006360100.tif 000002
【図２】
0006360100.tif 000003
【図３】
0006360100.tif 000004
【図４】
0006360100.tif 000005
【図５】
0006360100.tif 000006
【図６】
0006360100.tif 000007
【図７】
0006360100.tif 000008
【図８】
0006360100.tif 000009
【図９】
0006360100.tif 000010
【図１０】
0006360100.tif 000011
【図１１】
0006360100.tif 000012
【図１２】
0006360100.tif 000013
【図１３】
0006360100.tif 000014
【図１４】
0006360100.tif 000015